(57)【特許請求の範囲】
【請求項１】
複数のカラオケ装置がネットワークを介して接続されたカラオケシステムにおいて、
前記カラオケ装置は、楽曲演奏手段と、通信手段と、制御手段と、記憶手段を備え、
前記楽曲演奏手段は、楽曲情報に基づいて演奏を行い、
前記通信手段は、他のカラオケ装置との通信を可能とし、
前記制御手段は、ログイン状態取得処理と、楽曲予約処理と、楽曲演奏処理と、通知処理とを実行可能とし、
前記ログイン状態取得処理は、自カラオケ装置にログインしているログインユーザーのユーザー識別子を検出し、
前記楽曲予約処理は、ログインユーザーによって指定された楽曲識別子と、当該ログインユーザーのユーザー識別子とを対応づけて記憶手段に記憶する予約リストに記録し、
前記楽曲演奏処理は、前記予約リストに記憶する楽曲識別子に対応する楽曲情報を前記楽曲演奏手段に演奏させ、
前記通知処理は、他のカラオケ装置が記憶する予約リスト中、自カラオケ装置にログインしているログインユーザーのユーザー識別子を有する場合、当該ログインユーザーに対して通知することを特徴とする
カラオケシステム。
【請求項２】
前記通知処理は、自カラオケ装置にログインしているログインユーザーを予約リストに有する他のカラオケ装置を識別する情報を通知することを特徴とする
請求項１に記載のカラオケシステム。
【請求項３】
前記通知処理は、他のカラオケ装置が記憶する予約リスト中、自カラオケ装置にログインしているログインユーザーが予約した楽曲が演奏開始されるまでの時間を通知することを特徴とする
請求項１または請求項２に記載のカラオケシステム。
【請求項４】
前記通知処理における通知は、前記カラオケ装置に接続された表示装置、または、前記カラオケ装置に対して指示可能なリモコン装置の少なくとも一方に対して行われることを特徴とする
請求項１から請求項３の何れか１項に記載のカラオケシステム。
【請求項５】
楽曲演奏手段と、通信手段と、制御手段を備えたカラオケ装置において、
前記楽曲演奏手段は、楽曲情報に基づいて演奏を行い、
前記通信手段は、他のカラオケ装置との通信を可能とし、
前記制御手段は、ログイン状態取得処理と、楽曲予約処理と、楽曲演奏処理と、通知処理とを実行可能とし、
前記ログイン状態取得処理は、自カラオケ装置にログインしているログインユーザーのユーザー識別子を検出し、
前記楽曲予約処理は、ログインユーザーによって指定された楽曲識別子と、当該ログインユーザーのユーザー識別子を予約リストに記録し、
前記楽曲演奏処理は、前記予約リストに記憶する楽曲識別子に対応する楽曲情報を前記楽曲演奏手段に演奏させ、
前記通知処理は、他のカラオケ装置が記憶する予約リスト中、自カラオケ装置にログインしているログインユーザーのユーザー識別子を有する場合、当該ログインユーザーに対して通知することを特徴とする
カラオケ装置。
【発明の詳細な説明】
【技術分野】
【０００１】
本発明は、演奏予約可能なカラオケ装置がネットワークで接続されたカラオケシステム、並びに、当該カラオケ装置に関する。
【背景技術】
【０００２】
現在、カラオケシステムでは、リモコン装置を利用した遠隔操作によって歌唱する楽曲の予約が行われることが一般的である。従来のリモコン装置は、テンキーを備えた赤外線通信を使用するものが一般的であったが、情報処理装置の発達に伴い、表示画面を備えることでユーザーに対して各種情報を提供すると共に、高速無線通信を利用した大量のデータ送受信も可能となっている。このようなリモコン装置では、ユーザー情報を扱うことで、各ユーザーに対応したサービスを提供することも可能となっている。
【０００３】
ところで、カラオケボックスなど部屋毎に、リモコン装置、カラオケ装置が設置された施設を利用する場合、カラオケを楽しむ一般的なグループの人数（数人程度）や、部屋の面積、椅子数、テーブルサイズなどから、予めその部屋のサービスを許容する人数が設定されていることが多い。ところが、例えば、結婚式などの２次会などで、カラオケボックスが想定した各部屋の許容人数を超えるグループで利用されることがある。このような場合、施設側はグループに対して複数の部屋を割り当てて利用してもらうこととなる。
【０００４】
特許文献１には、このような複数の部屋を使用する状況下において、任意のグループの構成メンバーが任意のカラオケ演奏端末にログインしている期間内に、他のカラオケ演奏端末において、当該グループの構成メンバーがログインすると、当該グループの構成メンバーがログインしている一のカラオケ演奏端末において、他のカラオケ演奏端末に現にログインしている当該グループの構成メンバーを仮想ログイン利用者としてコピーして認証することが開示されている。このような構成によれば、利用者は複数の部屋でログイン及びログアウトの操作を行う必要がない。
【先行技術文献】
【特許文献】
【０００５】
【特許文献１】特開２００９−２８２２５４公報
【発明の概要】
【発明が解決しようとする課題】
【０００６】
このように１つのグループが複数の部屋を使用する状況下では、グループ内のユーザーは、部屋間を行き来してグループ内の多数のユーザーと交流を図るとともに、歌唱を楽しむことができる。ところで、カラオケ装置では事前にリモコン装置などを介して楽曲を予約して、通常予約順に演奏を行うことが一般的である。したがって、ユーザーが楽曲を予約をした後で部屋間を行き来した場合、予約した楽曲が予約者本人の居ない間に演奏されてしまう可能性がある。このような場合、予約者本人が居ない部屋の他のユーザーが代わって歌唱することも考えられるが、誰も歌唱しない場合には、予約した楽曲が演奏される中、他のユーザが演奏中止の操作を行わなければならないなど、盛り上がっていた場の雰囲気が消沈してしまう可能性もある。
【０００７】
本発明は、このような状況を鑑みたものであって、ユーザーが楽曲を予約した後に、他の部屋に移動した場合であっても、移動先の部屋にて自分の予約した楽曲の演奏を確認することを目的とするものである。
【課題を解決するための手段】
【０００８】
そのため本発明に係るカラオケシステムは、
複数のカラオケ装置がネットワークを介して接続されたカラオケシステムにおいて、
前記カラオケ装置は、楽曲演奏手段と、通信手段と、制御手段と、記憶手段を備え、
前記楽曲演奏手段は、楽曲情報に基づいて演奏を行い、
前記通信手段は、他のカラオケ装置との通信を可能とし、
前記制御手段は、ログイン状態取得処理と、楽曲予約処理と、楽曲演奏処理と、通知処理とを実行可能とし、
前記ログイン状態取得処理は、自カラオケ装置にログインしているログインユーザーのユーザー識別子を検出し、
前記楽曲予約処理は、ログインユーザーによって指定された楽曲識別子と、当該ログインユーザーのユーザー識別子とを対応づけて記憶手段に記憶する予約リストに記録し、
前記楽曲演奏処理は、前記予約リストに記憶する楽曲識別子に対応する楽曲情報を前記楽曲演奏手段に演奏させ、
前記通知処理は、他のカラオケ装置が記憶する予約リスト中、自カラオケ装置にログインしているログインユーザーのユーザー識別子を有する場合、当該ログインユーザーに対して通知することを特徴とする。
【０００９】
さらに本発明に係るカラオケシステムにおいて、
前記通知処理は、自カラオケ装置にログインしているログインユーザーを予約リストに有する他のカラオケ装置を識別する情報を通知することを特徴とする。
【００１０】
さらに本発明に係るカラオケシステムにおいて、
前記通知処理は、他のカラオケ装置が記憶する予約リスト中、自カラオケ装置にログインしているログインユーザーが予約した楽曲が演奏開始されるまでの時間を通知することを特徴とする。
【００１１】
さらに本発明に係るカラオケシステムにおいて、
前記通知処理における通知は、前記カラオケ装置に接続された表示装置、または、前記カラオケ装置に対して指示可能なリモコン装置の少なくとも一方に対して行われることを特徴とする。
また本発明に係るカラオケ装置は、
楽曲演奏手段と、通信手段と、制御手段を備えたカラオケ装置において、
前記楽曲演奏手段は、楽曲情報に基づいて演奏を行い、
前記通信手段は、他のカラオケ装置との通信を可能とし、
前記制御手段は、ログイン状態取得処理と、楽曲予約処理と、楽曲演奏処理と、通知処理とを実行可能とし、
前記ログイン状態取得処理は、自カラオケ装置にログインしているログインユーザーのユーザー識別子を検出し、
前記楽曲予約処理は、ログインユーザーによって指定された楽曲識別子と、当該ログインユーザーのユーザー識別子を予約リストに記録し、
前記楽曲演奏処理は、前記予約リストに記憶する楽曲識別子に対応する楽曲情報を前記楽曲演奏手段に演奏させ、
前記通知処理は、他のカラオケ装置が記憶する予約リスト中、自カラオケ装置にログインしているログインユーザーのユーザー識別子を有する場合、当該ログインユーザーに対して通知することを特徴とする。
【発明の効果】
【００１２】
本発明によれば、カラオケボックスなど複数の部屋にカラオケ装置が各々設置された状況下において、多人数のグループで利用する場合など１つのグループが、複数の部屋に分
かれてカラオケ装置を各々利用する場合、ユーザーが楽曲を予約した後、予約した部屋から別の部屋へ移動して新たにログインしてカラオケを開始していた場合であっても、移動先の部屋において、移動する以前の部屋での予約状況を通知することが可能となる。
【００１３】
さらに本発明では、移動先の部屋に設置されたカラオケ装置において、楽曲を予約した部屋のカラオケ装置を識別する情報を通知することで、どこで自分の予約した楽曲が演奏されるかを事前に確認することが可能となる。
【００１４】
さらに本発明では、移動先の部屋に設置されたカラオケ装置において、以前の部屋で予約した楽曲が演奏されるまでの時間を通知することで、いつ自分の予約した楽曲が演奏開始されるかを確認することが可能となる。
【００１５】
さらに本発明では、移動先の部屋に設置されたカラオケ装置に接続された表示装置、または、このカラオケ装置に対して指示可能なログインや予約操作に用いるリモコン装置に対して、ユーザによって他室でなされた楽曲の予約を当該ユーザへ通知を行わせることにより、既存のカラオケシステムの構成を利用しながら、ユーザによって他室でなされた楽曲の予約を当該ユーザへ通知する手段として利用することが可能となる。
【００１６】
例えば、カラオケ装置に接続された表示装置にて通知を行う場合には、他室で予約したユーザーが歌唱している際に通知することで、的確に当該ユーザーに対して通知を行うことが可能となる。また、ログインや予約操作に用いるリモコン装置に対して通知を行う場合には、他室で予約したユーザーが、ログインや予約操作に用いるリモコン装置を利用可能なユーザ（アクティブユーザー）として、そのリモコン装置の画面が、当該ユーザの操作画面に切り替えられているときに通知を行うことで、同様に当該ユーザーに対して的確に通知を行うことが可能となる。
【図面の簡単な説明】
【００１７】
【図１】本発明の実施形態に係るカラオケシステムの構成を示す図
【図２】本発明の実施形態に係るコマンダの構成を示す図
【図３】本発明の実施形態に係るリモコン装置の構成を示す図
【図４】本発明の実施形態に係るリモコン装置のログイン初期画面を示す図
【図５】本発明の実施形態に係るカラオケシステムの処理を示すフロー図
【図６】本発明の実施形態に係るログイン情報、楽曲予約情報のデータ構成を示す図
【図７】本発明の実施形態に係るカラオケを利用する部屋の状況を説明するための図
【図８】本発明の実施形態に係る他室予約状況取得処理を示すフロー図
【図９】本発明の実施形態に係る他室予約状況情報（部屋２）のデータ構成を示す図
【図１０】本発明の実施形態に係る通知処理を示すフロー図
【図１１】本発明の実施形態に係る通知処理によるリモコン装置への表示画面を示す図
【図１２】本発明の実施形態に係る通知処理によるモニタへの表示画面を示す図
【発明を実施するための形態】
【００１８】
図１は、本発明の実施形態に係るカラオケシステムの構成を示す図である。ここでは説明を簡易なものとするため２つの部屋に設置されたカラオケシステムを例にとって説明する。実際には、部屋の数については２つに限られるものではない。また、１つのグループが隣接する部屋についても隣接する必要はなく、同じカラオケ店舗内の部屋であれば自由に設定可能である。各部屋には、コマンダ２Ａ、２Ｂ（本発明における「カラオケ装置」に相当）、リモコン装置１Ａ、１Ｂが設置されており、これらは店舗内のネットワークを介して通信可能に接続されている。部屋１にみられるように複数のリモコン装置１Ａ−１、１Ａ−２を設置することも可能である
【００１９】
さらに本実施形態のカラオケシステムは、コマンダ２Ａ、２Ｂ、リモコン装置１Ａ、１Ｂに対して各種情報を提供する、あるいは、コマンダ２Ａ、２Ｂ、リモコン装置１Ａ、１Ｂ、店舗サーバ装置６の利用状況など各種情報を収集ためのカラオケ用ホスト５に接続可能とされている。そのためカラオケシステムのネットワークには、カラオケ用ホスト５に接続するため通信手段としてのルータ１２０が設けられている。
【００２０】
さらに、本実施形態のコマンダ２Ａ、２Ｂ、リモコン装置１Ａ、１Ｂは、インターネットを介してカラオケ用ホスト５に接続される。カラオケ用ホスト５の記憶手段としての記憶部５１には、楽曲情報やユーザー情報など、各種サービスに必要な情報が記憶されている。記憶部５１に新たに追加された楽曲情報は、コマンダ２に対して送信されることで配信による新曲の追加が可能となる。また、ユーザー情報は、事前に会員登録したユーザーに関する情報であって、リモコン装置１にてユーザー識別子、パスワードを入力するログイン処理を実行することでリモコン装置１のメモリ１４に記憶される。ログインしたユーザーは、ユーザー情報に基づいて自己に適したサービスを受けることが可能となる。
【００２１】
ユーザー情報を利用したサービスとしては、ユーザーが事前に登録した自己のお気に入り楽曲やお気に入り歌手（アーティスト）をユーザー情報から読み出して、簡易な楽曲選択を実現するサービス、あるいは、楽曲を歌唱した際の採点結果（採点情報）を、他の登録ユーザーと競うサービスなどがある。なお、本実施形態ではカラオケ独自の利用形態を考慮して、１人のユーザーが複数のリモコン装置１で同時にログイン（いわゆる二重ログイン）することが可能となっている。
【００２２】
具体的にリモコン装置１によるログイン認証の例を説明しておく。図１において、あるユーザーがリモコン装置１Ａ−１を使用してログインした場合、同じコマンダ２Ａに対応づけられた他のリモコン装置１Ａ−２においてもログインした状況となる。リモコン装置１を複数のユーザーで共有して利用する装置では、このように１台のリモコン装置１Ａ−１にてログインした場合、同じコマンダ２Ａ内の他のリモコン装置１Ａ−２に対してもログインした状態となり、ユーザーはどちらのリモコン装置１Ａ−１、１Ａ−２を利用することが可能とされている。
【００２３】
また、本実施形態では、ユーザーがリモコン装置１Ａ−１を利用してログインした状態においても、コマンダ２Ｂのリモコン装置１Ｂを利用してログインする、いわゆる二重ログインすることも可能とされている。コマンダ２Ａを利用していたユーザーは、ログアウトすることなくコマンダ２Ｂを利用することが可能戸である。これは秘匿性よりも利便性を重視したカラオケシステムの利用特性を反映した機能となっている。
【００２４】
図２は、本発明の実施形態に係るコマンダの構成を示す図である。カラオケシステムを構成するコマンダ２は、楽曲を演奏するための楽曲演奏手段として音響制御部３３を備えている。また、ユーザーからの各種入力を受け付けるスイッチなどで構成される入力手段としての操作部２１、動作にあたって必要とされるプログラム、各種情報を記憶する記憶手段としてのＨＤＤ３２（ハードディスク）、ＬＡＮ１００に接続してネットワークに加入するための通信手段としての通信部２４を備えている。また、モニタ４１に対して歌詞映像、背景映像を表示させる映像再生手段を備える。映像再生手段は、映像再生部２９、ビデオＲＡＭ２８、映像制御部３１を備えて構成される。
【００２５】
そして、これら各構成を統括して制御するための制御手段として、ＣＰＵにて構成される制御部３０、各種プログラムを実行するにあたって必要となる情報を一時記憶するためのメモリ２７を備えて構成される。
【００２６】
このような構成にてコマンダ２は、制御部３０によって各種処理を実行することとなるが、コマンダ２の主な機能として、楽曲予約処理、楽曲演奏処理、映像表示処理などを実行可能としている。楽曲予約処理は、ユーザーからの指定に基づいて楽曲を指定、予約するための処理であってリモコン装置１と連携して実行される。リモコン装置１から送信された予約情報をメモリ２７に記憶する予約リストに登録する。楽曲演奏処理は、予約リストに登録された予約情報に基づいて順次楽曲を音響制御部３３にて演奏させる処理である。音響制御部３３にて演奏された楽曲は、歌唱用マイク４４ａ、４４ｂから入力される歌唱音声と一緒にスピーカー４２から放音される。この楽曲演奏処理と同時に映像表示処理が実行される。この映像再生処理は、映像制御部３１にて各種映像情報、歌詞情報などを再生させ、モニタ４１を介した視覚情報をユーザーに提供し、歌唱補助を行う処理である。
【００２７】
図３は、本発明の実施形態に係るリモコン装置の構成を示す図である。リモコン装置１は、楽曲の演奏を予約する楽曲予約情報など、コマンダ２に対して各種指示を発行するとともに、コマンダ２、カラオケ用ホスト５などから各種情報を受信する。このリモコン装置１は、表示手段としての表示部１１、ユーザーからの各種入力を受け付ける入力手段としての操作部１７、アクセスポイント１１０に無線接続し、ネットワークに加入するための通信手段としての無線ＬＡＮ通信部１６、楽曲検索に必要とされるデータベース、各種プログラム、並びに、プログラム実行に伴って発生する各種情報を記憶する記憶手段としてメモリ１４、そして、これら構成を統括して制御するためのリモコン側制御手段を備えて構成される。
【００２８】
リモコン側制御手段には、ＣＰＵにて構成される制御部１５、表示制御部１３に対して表示する映像を形成する映像制御部１３、表示する映像情報を一時的に蓄えるビデオＲＡＭ１２、操作部１７からの入力を解釈して制御部１５に伝達する操作処理部１８が含まれている。また、リモコン装置１の表示部１１と操作部１７は一体となってタッチパネル表示画面を形成することとしてもよい。
【００２９】
また、リモコン装置１は、無線ＬＡＮ通信部１６によって、アクセスポイント１１０と無線接続されることで、ＬＡＮ１００によって構成されるネットワークに接続される。また、各リモコン装置１は、特定のコマンダ２に対して事前に対応付け（くくりつけ、紐付けと呼ばれることもある）されている。リモコン装置１から出力される各種命令は、対応付けされたコマンダ２にて受信されることとなる。なお、ＬＡＮ１００が利用できない状況を考え、リモコン装置１とコマンダ２とは赤外線、Bluetooth（登録商標）などを利用
した近距離通信を予備的に設けることとしてもよい。
【００３０】
このようなリモコン装置１の構成により、制御部１５は、ユーザーからの各種入力を操作部１７にて受付けるとともに、映像情報を表示部１１に表示してユーザーに対して各種情報を提供するとともに、コマンダ２あるいはカラオケ用ホスト５に対して楽曲予約などの各種指示を送信することが可能とされている。
【００３１】
では、本発明の実施形態に係るリモコン装置１の利用について詳細な説明を行う。図４は、本発明の実施形態に係るカラオケリモコン装置の画面を示す図である。前述したように、本実施形態のリモコン装置１は、ログイン処理を実行することで各ユーザーに適したサービスを受けることができる。また、複数のユーザーが集ってリモコン装置１を共有して使用するカラオケの利用形態を考慮して、１台のリモコン装置１に対して複数のユーザーが同時にログインすることができる。
【００３２】
図４には複数のユーザーがログインした状況下におけるリモコン装置１の表示部１１の画面（表示枠１０１、詳細は後述する）が示されている。ユーザーは、ログインしている
ユーザーの中から自己を特定する特定情報を選択することで、自己のユーザー情報を利用したサービスに切り替えることができる。サービスとしては、事前に登録している楽曲や歌手を簡易に検索するサービスや、これまでに歌唱した楽曲の履歴を閲覧するなどのサービスがある。本実施形態では、自己を特定する特定情報として自己を模した、あるいは、ユーザーが作成したアバター（分身像）とユーザー名が使用されている。
【００３３】
図４に表示される状態は、ログインしている４人のユーザー（ＡさんからＤさん）の中から「Ａさん」が選択されている状態であって、画面右側には「Ａさん」の全身のアバターが表示されており、「Ａさん」のユーザー情報に基づいて「Ａさん」に特化したサービスが行われる状態となっている。なお、サービスを受けているユーザーのことをアクティブユーザーと呼ぶこととする。図４の状態は「Ａさん」がアクティブユーザーということができる。
【００３４】
アクティブユーザーの切替は、画面左上方に表示される表示枠１０１中の特定情報（本実施形態ではアバターとユーザー名により構成）を選択することで実行される。表示枠１０１を超えた人数がログインしている場合には、移動ボタン１０２ａ、１０２ｂを操作して表示枠１０１内に選択するユーザーの特定情報を表示させた上で特定情報を選択することで、アクティブユーザーの切替が行われる。
【００３５】
ログインしたユーザーは、この画面から楽曲の検索（「曲を探す」ボタンを操作）、あるいは、ユーザー情報を利用した十八番機能などの各種サービス（「マイページ」ボタンを操作）を利用することが可能となる。
【００３６】
図５は、本実施形態におけるログイン処理、並びに、楽曲予約処理について、リモコン装置１、コマンダ２、カラオケ用ホスト５との情報の送受信の様子を説明する模式図である。本実施形態では、ユーザーによるリモコン装置１の操作に基づいて発生するログイン情報は、コマンダ２を介すことなく直接、カラオケ用ホスト５に送信され、カラオケ用ホスト５にてログイン処理が実行される。このログイン処理は、ユーザーの認証、並びに、記憶部５１内のデータベース内に記憶されたユーザーに関する各種情報（ユーザー情報）の読み出しなどを行う処理である。
【００３７】
図６には、このログイン情報のデータ構成が示されている。本実施形態のログイン情報には、ユーザー識別子、リモコン識別子、パスワードなどの認証情報、対応づけられているコマンダ２のコマンダ識別子が含まれている。カラオケ用ホスト５は、受信したログイン情報に基づいて記憶部５１内のデータベースを参照し、認証を行うと共にユーザー情報を読み出して、ログイン操作が行われたリモコン装置１に対してユーザー情報を送信するなどのログイン応答を実行する。また、ログイン情報中には、当該リモコン装置１に対応づけられているコマンダ２のコマンダ識別子が含まれており、カラオケ用ホスト５は、これを利用して、当該コマンダ２に対して、どのユーザーがログインしたかを伝えるログイン関連情報を送信する。
【００３８】
このような処理を実行することで、リモコン装置１は、ログインしたユーザーのサービスに必要な各種情報を取得することが可能となると共に、カラオケ用ホスト５及びログイン操作が行われたリモコン装置１に対応づけられたコマンダ２では、どのユーザーがログインしているかを把握することが可能となっている。本実施形態ではこのようにコマンダ２を介さずにリモコン装置１とカラオケ用ホスト５が直接通信を行うことでログイン処理を実行することとしているが、このような形態に限ることなく、リモコン装置１、コマンダ２、カラオケ用ホスト５の順でログイン情報を送信することでログイン処理を実行するようにすることも考えられる。
【００３９】
ログインを終えたユーザーは、リモコン装置を操作することで楽曲予約を行うことが可能である。図６のフロー図には、リモコン装置１とコマンダ２との間で行われる楽曲予約の様子が模式的に示されている。ログインしたユーザーは、リモコン装置１を操作して所望の楽曲を選択し、予約操作を実行する。このときリモコン装置１からコマンダ２に対して楽曲予約情報が送信される。図６には楽曲予約情報のデータ構成が示されている。本実施形態の楽曲予約情報には、ユーザー識別子、リモコン識別子、楽曲識別子、楽曲演奏時間が含まれている。この他、予約時に音程調整、テンポ（速度）調整を行う場合にはそれを指定する情報が含まれる。
【００４０】
コマンダ２では受信した楽曲予約情報に基づいて楽曲予約処理を実行する。楽曲予約処理は、受信した楽曲予約情報を、ＨＤＤ３２あるいはメモリ２７などの記憶手段に記憶する予約リストに順次する処理である。予約リストに記録された楽曲予約情報は、順次、読み出され、演奏手段としての音響制御部３３にて、楽曲識別子に対応する楽曲情報の演奏が実行される。なお、ここではログインしたユーザーによる楽曲予約に関する処理についてのみ説明しているが、コマンダ２ではログインしていないユーザーによる楽曲予約についてもゲストユーザーとして受け付けることが可能である。
【００４１】
では、このようなカラオケシステムにおいて、複数の部屋を跨いで利用する場合の問題について説明する。図７は、カラオケを利用する部屋の状況を説明するための図である。カラオケボックスなどにおいて大人数のグループが来店した場合、グループの人数が各部屋の許容人数を上回ることがある。このような場合、店舗側は複数の部屋を利用してもらうことで対応がとられる。図７には図１で説明した２つのコマンダ２Ａ、２Ｂが各部屋１、２に設置された利用状況が示されている。この状況はＡさんからＧさん、７人のグループで来店した場合であって、部屋の許容人数の関係上、入店時は、ＡさんからＤさんの４人のグループ（部屋１：コマンダ２Ａの利用）と、ＥさんからＧさんの３人のグループ（部屋２：コマンダ２Ｂの利用）に分けられた場合が示されている。
【００４２】
このような場合、たとえ部屋が分かれても同じグループでの来店であるから、ユーザー同士の交流を図るため、ユーザーが部屋を移動することがある。図７には破線丸印で囲まれたように、当初部屋１にいたＡさんが部屋２に移動した状況が示されている。このような場合、Ａさんが部屋１のリモコン装置１ａあるいは１ｂにて楽曲を予約し、当該楽曲の演奏が開始される前に部屋２に移動してしまうことが考えられる。楽曲の演奏が開始される前にＡさんが部屋１に戻ってくれば問題はないが、Ａさんがいない間に楽曲の演奏が開始された場合、誰も歌うユーザーがいなければ途中で演奏中止が実行されることとなってしまう。
【００４３】
本実施形態のカラオケシステムは、このような複数の部屋に跨がった利用を鑑みたものであって、ユーザーが他の部屋に移動した場合であっても、移動先の部屋に対して、楽曲の演奏予約の存在を通知することとしている。
【００４４】
では、本発明の実施形態に係るカラオケシステムの処理について図８〜図１２を用いて詳細に説明する。図８は、本発明の実施形態に係る他室予約状況取得処理を示すフロー図である。ここでは図１、図７に示すように２つのカラオケシステム３Ａ、３Ｂを対象として説明するが、カラオケシステム３の数は２つ以上、任意の数で設けることが可能である。
【００４５】
他室予約状況取得処理は、定期的（例えば１分毎）にコマンダ２にて実行される処理であって、カラオケ店舗内に設置されている他のコマンダ２の予約状況、すなわち、他の各コマンダ２に記憶している予約リスト中の情報を取得する処理である。他室予約状況取得処理が開始されると、コマンダ２は、同じ店舗内に設置されたコマンダ２に対して予約状
況取得要求を実行する（Ｓ１０１）。店舗内に設置されたコマンダ２の判別方法としては、ネットワーク（ＬＡＮ１００）を使用するものであれば各種手法を採用することができる。
【００４６】
第１の手法としては、コマンダ２が店舗内に設置される他のコマンダ２の識別情報（ＩＰアドレスなど）を事前に取得しておき、これを参照して他のコマンダ２を判別することが可能とされる。なお、同じ店舗内のコマンダ２の識別情報の取得方法としては、カラオケ用ホスト５に記憶するデータベースから事前に取得しておいてもよいし、店舗内でのサービスマンなどによる設定操作にて記憶させることとしてもよい。
【００４７】
このとき、上記データベースの情報や、店舗内でのサービスマンなどによる設定操作にて記憶される情報に、コマンダ２の識別情報（ＩＰアドレスなど）と、コマンダ２が設置された部屋の名前（部屋１）とを予め対応付けておくとよい。こうすれば、楽曲を予約した部屋のカラオケ装置を識別する情報を通知するときに、コマンダ２が設置された部屋の番号で通知（例えば、部屋２のリモコン１Ｂに表示する情報は、コマンダ２Ａの「ＩＰアドレス」ではなく「部屋１」を表示する）することができる。よって、ユーザーは、予約した楽曲が演奏される部屋の番号を、移動後の部屋でも知ることが可能となる。
【００４８】
第２の手法としては、店舗内に予約状況取得を要求する情報をブロードキャスト、すなわち、対象機器を制限することなく送信し、受信したコマンダ２側で自分に対する要求であることを判断することで他のコマンダ２に対して予約状況取得を要求する情報を伝えるとが考えられる。
【００４９】
Ｓ１０２では、このような予約状況取得要求に応じて返信された予約リストの受信を判別し、受信した場合（Ｓ１０２：Ｙｅｓ）には、予約リストを他室予約状況情報として保存する。なお、同室について既に他室予約状況情報を保存されている場合には、新しい予約リストにて他室予約状況情報を更新することとなる。Ｓ１０４では、他の全コマンダ２から予約リストを受信したか否かを判断し、受信した場合（Ｓ１０４：Ｙｅｓ）には、一連の他室予約状況取得処理を終了する。
【００５０】
図９には他室予約状況情報の例として、図７に示す部屋２（Ａさんの移動先）における他室予約状況情報の例が模式的に示されている。部屋１に設置されたコマンダＡの予約リストは、図に示されるように楽曲識別子、ユーザー識別子、楽曲演奏時間が予約順に並んで構成されている。なお、各部屋から受信した予約リストには、各部屋の名称（部屋１など）が付されている。これは他室に設置されたコマンダにて添付された情報であって、コマンダ２を識別する情報に相当している。
【００５１】
図７のような状況において、部屋２に設置されているコマンダＢは、この他室予約状況情報を参照し、自コマンダＢにログインしているユーザーがこの他室予約状況情報中に含まれていないかを監視することで、当該ユーザーに対する予約状況の通知を行うこととしている。
【００５２】
図１０は、本発明の実施形態に係る通知処理を示すフロー図である。通知処理は、定期的、あるいは、所定の条件を満足した場合に実行されるログインユーザー毎の処理である。所定の条件としては、例えば、コマンダ２にてユーザーが歌唱している場合、あるいは、リモコン装置１においてアクティブユーザーとして利用している場合などが考えられる。
【００５３】
この通知処理が開始されると、まず、自コマンダ２に記憶している予約リストと、他室予約状況情報取得処理にて取得した他室予約状況情報とを対比し、自コマンダ２にログイ
ンしているユーザー識別子が、他室予約状況情報中に含まれていないかを判定する（Ｓ２０１）。自コマンダ２にログインしているユーザー識別子が、他室予約状況情報中に含まれている場合（Ｓ２０２：Ｙｅｓ）には、Ｓ２０３にて一致したユーザー識別子に対応する楽曲識別子を他室予約状況情報から取得する。同様に他室予約状況情報から、Ｓ２０４では部屋の名称を取得する。
【００５４】
Ｓ２０５では、Ｓ２０３にて一致したユーザー識別子に対応する楽曲識別子に対応する楽曲が演奏されるまでの時間が算出される。本実施形態では、各楽曲予約情報中に楽曲演奏時間が含まれているため、他室予約状況情報中、対象となっている楽曲より前に演奏される楽曲演奏時間を合計することで算出することが可能である。なお、本実施形態では楽曲予約情報中に楽曲演奏時間を含めることで、楽曲が演奏されるまでの時間を算出することとしているが、楽曲演奏時間を楽曲予約情報に含めずに、楽曲識別情報に基づいてコマンダ２内に記憶する楽曲情報、あるいは、楽曲情報の関連情報を参照し、楽曲が演奏されるまでの時間を算出することとしてもよい。
【００５５】
Ｓ２０６では、以上の処理の結果に基づいてユーザーに通知を行う。通知は、コマンダ２に接続されているモニタ４１（本発明における「表示装置」）。コマンダ２と同室に設置された、すなわち、コマンダ２に対応づけられているリモコン装置１に対して行うことなどが考えられる。図１１は、本発明の実施形態に係るリモコン装置１への表示画面であり、図１２は、本発明の実施形態に係るモニタ４１への表示画面が示されている。これらの表示画面中、予約状況メッセージを表示することでユーザーへの通知が行われる。
【００５６】
通知は適宜タイミングで実行することとしてもよいが、対象となっているユーザーにより確実に通知するため以下のようにするとよい。例えば、対象となっているユーザーが歌唱している最中であれば、歌詞が表示されるモニタ４１に対して表示することが好ましい。
【００５７】
歌唱すべき歌詞を確認するためユーザーはモニタ４１を目視しているため、このモニタ４１に表示することで当該ユーザーに対して他室での予約状況を的確に通知することが可能となる。また、対象となっているユーザーがリモコン装置１上でアクティブユーザーである場合に通知することとしてもよい。アクティブユーザーとして利用している場合には、当該ユーザーがリモコン装置１を操作している可能性が高く、このリモコン装置１の表示部１１に対して通知することで、当該ユーザーに対して的確に通知することが可能となる。なお、通知の手法としては、モニタ４１などによる視覚的手法のみならず、スピーカーなどを用いた聴覚的手法を採用することとしてもよい。
【００５８】
図７で説明したＡさんの移動状況を例にとって説明する。Ａさんは、部屋１にて楽曲を予約した後、部屋２に移動した状況である。この場合、部屋２に設置されたコマンダ２Ｂは、他室予約状況情報を参照し、部屋２にてログインしたＡさんの他室での予約状況を検索する。その結果、図９に示されるように部屋１に設置されたコマンダ２ＡにてＡさんが楽曲識別子「Ａ０００３０１」に対応する楽曲を予約していることが判別される。また、当該楽曲は８分後に演奏開始されることも判別される。このような判別結果に基づいて、図１１、図１２に示される予約状況メッセージを表示することによる通知が実行される。
【００５９】
なお、本実施形態では楽曲名、部屋名、演奏開始までの時間を通知に含めることとしているが、他室での予約状況を伝えるためにはこれら情報は必ずしも必須ではなく、他室で予約が行われている旨だけを通知するのみでも構わない。ユーザーは、どの部屋で予約したかを記憶している場合が多く、このような簡易な通知でも予約した部屋に戻ることが可能である。
【００６０】
なお、本発明はこれらの実施形態のみに限られるものではなく、それぞれの実施形態の構成を適宜組み合わせて構成した実施形態も本発明の範疇となるものである。
【符号の説明】
【００６１】
１…リモコン装置、２…コマンダ（カラオケ装置）、１１…表示部、１２…ビデオＲＡＭ、１３…映像制御部、１４…メモリ、１５…制御部、１６…無線ＬＡＮ通信部、１７…操作部、１８…操作処理部、２１…操作部、２２…操作処理部、２４…通信部、２７…メモリ、２８…ビデオＲＡＭ、２９…映像再生部、３０…制御部、３１…映像制御部、３２…ＨＤＤ（ハードディスク）、３３…音響制御部、４１…モニタ、４２…スピーカー、４４ａ、４４ｂ…歌唱用マイク、１００…ＬＡＮ、１１０…アクセスポイント、１２０…ルータ、５…カラオケ用ホスト、５１…記憶部
【図１】
0005418793.tif 000002
【図２】
0005418793.tif 000003
【図３】
0005418793.tif 000004
【図４】
0005418793.tif 000005
【図５】
0005418793.tif 000006
【図６】
0005418793.tif 000007
【図７】
0005418793.tif 000008
【図８】
0005418793.tif 000009
【図９】
0005418793.tif 000010
【図１０】
0005418793.tif 000011
【図１１】
0005418793.tif 000012
【図１２】
0005418793.tif 000013